(57)【要約】【課題】  本発明は、鉄心の重量を巻線に負担させることのないアモルファス磁性薄帯体を用いた静止誘導機器を提供することにある。【解決手段】  本発明は、アモルファス磁性薄帯体を重ね巻きして形成した鉄心２とこの鉄心２の脚部１０Ａ〜１０Ｃに装着された巻線３との間に、静止誘導機器強度部材（４〜６，１６Ａ，１６Ｂ，１７Ａ，１７Ｂ）に支持させた支持部材（１２，１５Ａ，１５Ｂ）を配置し、この支持部材（１２，１５Ａ，１５Ｂ）に前記鉄心２を支持させたのである。  このように、鉄心２を支持部材（１２，１５Ａ，１５Ｂ）に支持させることで、鉄心２の重量が直接巻線３に作用することがなくなり、その結果、鉄心２の重量による巻線３の変形を防止することができる。【選択図】  図１
2005228927.tif 000002
【特許請求の範囲】
【請求項１】
アモルファス磁性薄帯体を重ね巻きして形成した鉄心と、この鉄心の脚部に装着された巻線とを備えた静止誘導機器において、前記鉄心の脚部と前記巻線との間に支持部材を配置し、この支持部材に前記鉄心を支持させると共に、この支持部材を静止誘導機器強度部材に支持させたことを特徴とする静止誘導機器。
【請求項２】
アモルファス磁性薄帯体を重ね巻きして形成した鉄心と、この鉄心の脚部に装着された巻線とを備えた静止誘導機器において、前記鉄心の変形を防止する鉄心変形防止部材を前記鉄心の脚部の外周に配置し、この鉄心変形防止部材に前記巻線を支持させたことを特徴とする静止誘導機器。
【請求項３】
アモルファス磁性薄帯体を重ね巻きして形成した鉄心と、この鉄心の脚部に装着された巻線とを備えた静止誘導機器において、前記巻線の変形を防止する巻線変形防止部材を前記鉄心の脚部の外周に配置し、この巻線変形防止部材に前記鉄心を支持させたことを特徴とする静止誘導機器。
【請求項４】
アモルファス磁性薄帯体を重ね巻きして形成した鉄心と、この鉄心の脚部に装着された巻線とを備えた静止誘導機器において、前記巻線の内径側に、前記鉄心を支持する支持部材を設けたことを特徴とする静止誘導機器。
【請求項５】
前記支持部材は、前記巻線が巻装されたボビンであり、このボビンに前記鉄心が支持されていることを特徴とする請求項４記載の静止誘導機器。
【請求項６】
前記鉄心の脚部の長さ方向に沿う前記ボビンの端部は、前記鉄心の脚部の長さ方向に沿う前記巻線の端部から突出し、この突出したボビンの端部に前記鉄心のを支持する端部支持体を設けたことを特徴とする請求項５記載の静止誘導機器。
【発明の詳細な説明】
【技術分野】
【０００１】
本発明は変圧器やリアクトル等の静止誘導機器に係り、特に、鉄心としてアモルファス磁性薄帯体を重ね巻きして形成した巻鉄心を用いた静止誘導機器に関する。
【背景技術】
【０００２】
一般に、アモルファス磁性薄帯体を重ね巻きして形成した巻鉄心を用いた静止誘導機器は、例えば特許文献１に開示されているように、既に提案されている。
【０００３】
【特許文献１】特開平５−６７５３３号公報
【発明の開示】
【発明が解決しようとする課題】
【０００４】
上記特許文献１に記載の静止誘導機器は、鉄心にアモルファス磁性薄帯体を用いていることから、鉄心自体で形状を保持することができず、鉄心重量を巻線に負担させることで鉄心の形状保持を行っている。そのために、巻線に過度な応力が作用し、その結果、巻線を変形させたり、巻線絶縁物を劣化させたりする問題があった。
【０００５】
本発明の目的は、鉄心の重量を巻線に負担させることのないアモルファス磁性薄帯体を用いた静止誘導機器を提供することにある。
【課題を解決するための手段】
【０００６】
本発明は上記目的を達成するために、アモルファス磁性薄帯体を重ね巻きして形成した鉄心とこの鉄心の脚部に装着された巻線との間に、静止誘導機器強度部材に支持させた支持部材を配置し、この支持部材に前記鉄心を支持させたのである。
【０００７】
このように、鉄心を支持部材に支持させることで、鉄心の重量が直接巻線に作用することがなくなり、その結果、鉄心の重量による巻線の変形を防止することができる。
【発明の効果】
【０００８】
以上説明したように本発明によれば、鉄心を支持部材に支持させることで、鉄心の重量を巻線に負担させることのないアモルファス磁性薄帯体を用いた静止誘導機器を得ることができる。
【発明を実施するための最良の形態】
【０００９】
以下本発明による静止誘導機器の一実施の形態を図１から図５に示す乾式変圧器に基づいて説明する。
【００１０】
乾式変圧器１は、大きく分けると、アモルファス磁性薄帯体を重ね巻きして形成した鉄心２と、この鉄心２の脚部に装着された巻線３と、前記鉄心２の上部と下部とを締付固定する上締金具４及び下締金具５と、下締金具５に固定した取り付けベース６とより構成されている。
【００１１】
前記鉄心２は、二つ並設した小鉄心７，８と、これら小鉄心７，８の外周部に接して位置する大鉄心９とで構成されている。これら小鉄心７，８及び大鉄心９は、夫々の下部で複数のアモルファス磁性薄帯体の端部を交互に重ね合わせることで、環状鉄心を構成している。
【００１２】
前記巻線３は、前記二つ並設した小鉄心７，８と大鉄心９とで構成された鉄心２の脚部１０Ａ〜１０Ｃに装着され筒状に形成された３つの巻線１１Ａ〜１１Ｃを有している。各巻線１１Ａ〜１１Ｃは、夫々ボビン１２を介して前記脚部１０Ａ〜１０Ｃに装着されている。
【００１３】
前記ボビン１２は、巻線１１Ａ〜１１Ｃを巻装支持すると共に、前記鉄心２を支持するための機械的強度を確保するために鋼材で形成されている。そして、鋼材で形成されたボビン１２は、１ターンを形成しないように、切り欠き１２Ｓを設け、この切り欠き１２Ｓを埋める絶縁材１３を絶縁テープ１４等で重ね巻いて接続している。また、前記脚部１０Ａ〜１０Ｃの長さ方向に沿う前記ボビン１２の端部は、前記脚部１０Ａ〜１０Ｃの長さ方向に沿う前記巻線１１Ａ〜１１Ｃの端部からＴ寸法突出するように形成されている。そして、隣接するボビン１２間をそれらの上下で夫々連結するように、詳しくは前記鉄心２の上下に位置する各継鉄部の内側において互いに隣接するボビン１２間に跨るように位置決め金具１５Ａ，１５Ｂが設置され、この位置決め金具１５Ａ，１５Ｂの端部は前記ボビン１２の内周側に折り込まれている。尚、前記ボビン１２の端部を直角に延在させてフランジを形成することで前記位置決め金具１５Ａ，１５Ｂを省略して部品点数を削減してもよい。
【００１４】
一方、上締金具４及び下締金具５内において、鉄心２の幅方向両側に位置する共通の上ボビン支え１６Ａ，１６Ｂ及び下ボビン支え１７Ａ，１７Ｂは前記各ボビン１２の上下端部に当接している。
【００１５】
また、前記巻線１１Ａ〜１１Ｃの下端は、共通の巻線支え１８Ａ，１８Ｂによって前記下締金具５のフランジ５Ｆに支持されている。尚、巻線支え１８Ａ，１８Ｂを省略して巻線３（１１Ａ〜１１Ｃ）をボビン１２の外周に支持するよう構成しても良いし、巻線３の重量を巻線支え１８Ａ，１８Ｂとボビン１２とによって支持するようにしてもよい。
【００１６】
上記のように構成したので、小鉄心７，８は、ボビン１２と位置決め金具１５Ａ，１５Ｂによってその内周側が支持され、大鉄心９は、ボビン１２と位置決め金具１５Ａ，１５Ｂによって支持された小鉄心７，８によってその内周側が支持される。そして小鉄心７，８及び大鉄心９を支持したボビン１２と位置決め金具１５Ａ，１５Ｂは、上方は上ボビン支え１６Ａ，１６Ｂを介して上締金具４に支持され、下方は下ボビン支え１７Ａ，１７Ｂを介して下締金具５に支持され、下締金具５は取り付けベース６に支持される。したがって、鉄心２は、巻線３の変形を防止する巻枠の機能を有するボビン１２と位置決め金具１５Ａ，１５Ｂによって、変形を防止されることになる。
【００１７】
一方、巻線３（１１Ａ〜１１Ｃ）は、巻線支え１８Ａ，１８Ｂ→下締金具５を介して取り付けベース６に支持される。
【００１８】
以上から、鉄心２の重量は巻線３に伝わらないので、鉄心重量による巻線３の変形はなくなり、巻線絶縁物を劣化させたりする問題は一掃される。また、巻線３の重量は、巻線支え１８Ａ，１８Ｂ→下締金具５を介して取り付けベース６によって支持されるので、鉄心２に負担をかけることはない。
【００１９】
したがって、上記構成において、前記ボビン１２と位置決め金具１５Ａ，１５Ｂとが、本願発明の前記鉄心２の脚部１０Ａ〜１０Ｃと前記巻線３との間に配置された支持部材となり、これらの支持部材を支持する本願発明の静止誘導機器強度部材が、上ボビン支え１６Ａ，１６Ｂや下ボビン支え１７Ａ，１７Ｂ及び上締金具４や下締金具５、さらには取り付けベース６となる。
【００２０】
さらに、前記ボビン１２と位置決め金具１５Ａ，１５Ｂが、本願発明の鉄心の変形を防止し巻線を支持する鉄心変形防止部材となると共に、本願発明の巻線の変形を防止し鉄心を支持する巻線変形防止部材となる。
【００２１】
ところで以上に実施の形態は、静止誘導機器として乾式変圧器を一例に説明したが、油入変圧器やリアクトル等の静止誘導機器にも本発明が適用できることは云うまでもない。
【図面の簡単な説明】
【００２２】
【図１】本発明による静止誘導機器の一実施の形態をしめす乾式変圧器の正面図。
【図２】図１のＡ−Ａ線にそう断面図。
【図３】図１の右側面図。
【図４】図１の鉄心に装着された巻線を示す断面図。
【図５】図１のボビンを示す横断拡大図。
【符号の説明】
【００２３】
１…乾式変圧器、２…鉄心、３（１１Ａ〜１１Ｃ）…巻線、４…上締金具、５…下締金具、６…取り付けベース、７，８…小鉄心、９…大鉄心、１０Ａ〜１０Ｃ…脚部、１２…ボビン、１５Ａ，１５Ｂ…位置決め金具、１６Ａ，１６Ｂ…上ボビン支え、１７Ａ，１７Ｂ…下ボビン支え、１８Ａ，１８Ｂ…巻線支え。
【図１】
2005228927.tif 000003
【図２】
2005228927.tif 000004
【図３】
2005228927.tif 000005
【図４】
2005228927.tif 000006
【図５】
2005228927.tif 000007